【手続補正書】
【提出日】平成30年4月17日(2018.4.17)
【手続補正１】
【補正対象書類名】特許請求の範囲
【補正対象項目名】全文
【補正方法】変更
【補正の内容】
【特許請求の範囲】
【請求項１】
無線送受信ユニット（ＷＴＲＵ）で使用するための方法であって、
マシンタイプ通信物理ダウンリンク制御チャネル（ＭＰＤＣＣＨ）をモニタするための複数のサブバンドのうちの少なくとも１つのサブバンドを示す構成情報を基地局から前記ＷＴＲＵによって受信することであって、前記複数のサブバンドの各サブバンドは、システム帯域幅における周波数リソースのサブセットから構成される、ことと、
前記受信された構成情報に基づいて、前記ＭＰＤＣＣＨをモニタするための前記少なくとも１つのサブバンドを前記ＷＴＲＵによって決定することであって、前記ＭＰＤＣＣＨをモニタするための前記少なくとも１つの決定されたサブバンドのそれぞれは、それらに関するチャネル状態情報（ＣＳＩ）フィードバックを測定するためのＣＳＩダウンリンクサブバンド（ＣＳＩ−サブバンド）として、前記ＷＴＲＵによってさらに決定される、ことと、
前記ＭＰＤＣＣＨに関連付けられるダウンリンク信号に対する各ＣＳＩ−サブバンドを前記ＷＴＲＵによってモニタすることと、
各ＣＳＩ−サブバンドに関する前記ＣＳＩフィードバックを前記ＷＴＲＵによって測定することと
を含む方法。
【請求項２】
少なくとも１つのアップリンクチャネル上で、各ＣＳＩ−サブバンドに対する前記測定されたＣＳＩフィードバックを前記ＷＴＲＵによって報告することであって、前記少なくとも１つのアップリンクチャネルのそれぞれは、対応するＣＳＩ−サブバンドに関連付けられる、ことをさらに含む、請求項１の方法。
【請求項３】
前記測定されたＣＳＩフィードバックは、対応するＣＳＩ−サブバンドに対するチャネル品質インジケータ（ＣＱＩ）値を含む、請求項２の方法。
【請求項４】
各ＣＳＩ−サブバンドについてダウンリンク（ＤＬ）サブバンドインデックスを前記ＷＴＲＵによって決定することと、
少なくとも１つの決定されたＤＬサブバンドインデックスに対する前記ＣＳＩフィードバックを前記ＷＴＲＵによって報告することと
をさらに含む、請求項１の方法。
【請求項５】
前記ＣＳＩフィードバックを報告することは、前記ＤＬサブバンドインデックスと、報告される前記少なくとも１つの決定されたＤＬサブバンドインデックスのそれぞれに対するチャネル品質インジケータ（ＣＱＩ）値とを報告することを含む、請求項４の方法。
【請求項６】
前記少なくとも１つの決定されたＤＬサブバンドインデックスに対する前記ＣＳＩフィードバックを報告することは、前記少なくとも１つの決定されたＤＬサブバンドインデックスのそれぞれに対する前記ＣＳＩフィードバックを一度に１つ報告することを含む、請求項４の方法。
【請求項７】
ＣＳＩフィードバック報告のためにＣＳＩ−サブバンドの中からＣＳＩ−サブバンドを前記ＷＴＲＵによって選択することと、
アップリンクチャネル上で、前記選択されたＣＳＩ−サブバンドに対応する前記ＣＳＩフィードバックを前記ＷＴＲＵによって報告することと
をさらに含む、請求項１の方法。
【請求項８】
ＣＳＩフィードバック報告のための前記選択されたＣＳＩ−サブバンドは、前記ＣＳＩ−サブバンドの中の好ましいＣＳＩ−サブバンドである、請求項７の方法。
【請求項９】
前記好ましいＣＳＩ−サブバンドは、前記ＣＳＩ−サブバンドの中で最高のＣＱＩ値を有する、請求項８の方法。
【請求項１０】
前記選択されたＣＳＩ−サブバンドに対する前記ＣＳＩフィードバックを報告することは、前記選択されたＣＳＩ−サブバンドに対応するダウンリンク（ＤＬ）サブバンドインデックスと、チャネル品質インジケータ（ＣＱＩ）値とを報告することを含む、請求項７の方法。
【請求項１１】
無線送受信ユニット（ＷＴＲＵ）であって、
マシンタイプ通信物理ダウンリンク制御チャネル（ＭＰＤＣＣＨ）をモニタするための複数のサブバンドのうちの少なくとも１つのサブバンドを示す構成情報を基地局から受信するように構成された受信機であって、前記複数のサブバンドの各サブバンドは、システム帯域幅における周波数リソースのサブセットから構成される、受信機と、
前記受信された構成情報に基づき、前記ＭＰＤＣＣＨをモニタするための前記少なくとも１つのサブバンドを決定し、前記ＭＰＤＣＣＨをモニタするための前記少なくとも１つの決定されたサブバンドのそれぞれを、それらに関するチャネル状態情報（ＣＳＩ）フィードバックを測定するためのＣＳＩダウンリンクサブバンド（ＣＳＩ−サブバンド）としてさらに決定するように構成される少なくとも１つのプロセッサとを備え、
前記受信機および前記少なくとも１つのプロセッサは、前記ＭＰＤＣＣＨに関連付けられるダウンリンク信号に対する各ＣＳＩ−サブバンドをモニタするようにさらに構成され、
前記受信機および前記少なくとも１つのプロセッサは、各ＣＳＩ−サブバンドに関する前記ＣＳＩフィードバックを測定するようにさらに構成される、無線送受信ユニット（ＷＴＲＵ）。
【請求項１２】
少なくとも１つのアップリンクチャネル上で、各ＣＳＩ−サブバンドに対する前記測定されたＣＳＩフィードバックを報告するように構成された送信機をさらに備え、前記少なくとも１つのアップリンクチャネルのそれぞれは、対応するＣＳＩ−サブバンドに関連付けられる、請求項１１のＷＴＲＵ。
【請求項１３】
前記測定されたＣＳＩフィードバックは、対応するＣＳＩ−サブバンドに対するチャネル品質インジケータ（ＣＱＩ）値を含む、請求項１２のＷＴＲＵ。
【請求項１４】
前記少なくとも１つのプロセッサは、各ＣＳＩ−サブバンドについてダウンリンク（ＤＬ）サブバンドインデックスを決定するように構成され、
前記ＷＴＲＵは、少なくとも１つの決定されたＤＬサブバンドインデックスに対する前記ＣＳＩフィードバックを報告するように構成された送信機をさらに備える、請求項１１のＷＴＲＵ。
【請求項１５】
前記ＣＳＩフィードバックは、前記ＤＬサブバンドインデックスと、報告される前記少なくとも１つの決定されたＤＬサブバンドインデックスのそれぞれに対するチャネル品質インジケータ（ＣＱＩ）値とを含む、請求項１４のＷＴＲＵ。
【請求項１６】
前記送信機は、前記少なくとも１つの決定されたＤＬサブバンドインデックスのそれぞれに対する前記ＣＳＩフィードバックを一度に１つ報告するように構成される、請求項１４のＷＴＲＵ。
【請求項１７】
前記少なくとも１つのプロセッサは、ＣＳＩフィードバック報告のためにＣＳＩ−サブバンドの中からＣＳＩ−サブバンドを選択するように構成され、
前記ＷＴＲＵは、アップリンクチャネル上で、前記選択されたＣＳＩ−サブバンドに対応する前記ＣＳＩフィードバックを報告するように構成された送信機をさらに備える、請求項１１のＷＴＲＵ。
【請求項１８】
ＣＳＩフィードバック報告のための前記選択されたＣＳＩ−サブバンドは、前記ＣＳＩ−サブバンドの中の好ましいＣＳＩ−サブバンドである、請求項１７のＷＴＲＵ。
【請求項１９】
前記好ましいＣＳＩ−サブバンドは、前記ＣＳＩ−サブバンドの中で最高のＣＱＩ値を有する、請求項１８のＷＴＲＵ。
【請求項２０】
前記選択されたＣＳＩ−サブバンドに対する前記ＣＳＩフィードバックは、前記選択されたＣＳＩ−サブバンドに対応するダウンリンク（ＤＬ）サブバンドインデックスと、チャネル品質インジケータ（ＣＱＩ）値とを含む、請求項１７のＷＴＲＵ。